(57)【特許請求の範囲】
【請求項１】
建物の開口部に取付けられる開口部外装装置であって、框に配置された少なくとも１組の複数のスラットと、前記框が形成する框面に沿って取付けられた網目部材と、前記複数のスラットを揺動させる揺動機構を備えると共に、該揺動機構は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、そのバー部材の回転力が伝達される第２の伝達部材とからなり、
前記ねじりバーは、薄板状の棒材の一端に対する他端の回転角度を所定のねじり角に形成すると共に、前記ねじりバーの両端をそれぞれ回転軸に固定し、これらの回転軸を軸受けに取付けると共に、前記ねじりバーと前記第１の伝達部材間に一方の回転軸を介在させたことを特徴とする開口部外装装置。
【請求項２】
前記開口部外装装置は、雨戸であることを特徴とする請求項１に記載の開口部外装装置。
【請求項３】
前記開口部外装装置は、折れ雨戸であることを特徴とする請求項１に記載の開口部外装装置。
【請求項４】
前記開口部外装装置は、引戸であることを特徴とする請求項１に記載の開口部外装装置。
【発明の詳細な説明】
【０００１】
【発明の属する技術分野】
この発明は、建物の開口部に配置される開口部外装装置に関する。
【０００２】
【従来の技術】
開口部外装装置としての雨戸に網戸を付けた公知例として、図３７に示した実用新案登録第３０７７９５２号の「通風式雨戸」をあげることができる。
この雨戸は、雨戸外壁を雨が侵入しにくい角度の格子構造にして、その格子構造から通風を図ると共に、室内側に網戸を設置した構成となっている。
【０００３】
【発明が解決しようとする課題】
しかしながら、上記雨戸の格子構造は通風が可能であっても、格子自体は揺動することがないので、その通風量の調節ができないし、同様に採光量の調整もできない。
一方、出願人は、スラットを開口部外装装置の構成要素とすると共に、スラットの揺動機構を取付けて、それらスラットを任意の開放角度で停止可能にでき、通風量、換気量及び採光量等を調整できる開口部外装装置を開発し、提案している。
【０００４】
そこで出願人は、その開発に係る開口部外装装置に網目部材を取付けて、防虫機能を付加して開口部外装装置の利用価値を高めることを目的とする。
【０００５】
【課題を解決するための手段】
上記課題を解決するため、框に配置された少なくとも１組の複数のスラットと、前記框が形成する框面に沿って取付けられた網目部材と、前記複数のスラットを揺動させる揺動機構を備えると共に、該揺動機構は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、そのバー部材の回転力が伝達される第２の伝達部材とからなり、前記ねじりバーは、薄板状の棒材の一端に対する他端の回転角度を所定のねじり角に形成すると共に、前記ねじりバーの両端をそれぞれ回転軸に固定し、これらの回転軸を軸受けに取付けると共に、前記ねじりバーと前記第１の伝達部材間に一方の回転軸を介在させたことを特徴とする開口部外装装置を構成した（請求項１に記載の発明）。
この発明によれば、スラットを任意の開放角度で停止させて、通風量、換気量及び採光量等を調整でき、また外断熱を図ることができ、さらに防虫機能も図ることができる。
【０００６】
上記発明において、前記開口部外装装置は雨戸、折れ雨戸或いは引戸であることを特徴とする（請求項２〜４に記載の発明）。
これらの発明によれば、雨戸、折れ雨戸或いは引戸に通風、換気、採光、外断熱の諸機能を発揮させると共に、防虫機能を付加することきができる。
なお、本発明において開口部外装装置とは、建物の開口部に対し、室外側に面して配置されている装置という意味であって、その室内側に窓、戸、障子、玄関引戸等、建具類が配置されている場合でも、配置されていない場合でも良い。以下の発明の実施形態においても同様である。
【０００７】
【発明の実施の形態】
本発明の実施形態として、開口部外装装置としての雨戸の構成例を図面に基づき説明する。
図１は、各スラットが閉鎖状態にある場合を示す、雨戸の室外側正面図、図２（イ）〜（ハ）は同室内側正面図、一部分の図示を省略し、且つ、拡大した同雨戸の縦断面及び横断面図である。
なお、上記各図及び後述の各図において、略同一の構成は同一の符号を用いて詳細な説明を省略する。
【０００８】
前記雨戸１は、上下框１０，１１、左右竪框１２，１３及び中框１４からなる雨戸框が形成する框面に沿って、上下２枚の網目部材１７，１７を取付けている。また前記雨戸框に複数枚のスラット２をそれぞれ水平方向に配列し、前記中框１４に後述する第１及び第２揺動機構を操作する操作スライダー１５,１５を臨ませている。それらの操作スライダー１５,１５が、図面上左右方向にスライドされると、前記各スラット２、２、２・・・が揺動し、開閉するようになっている。なお、前記中框１４の室内側には、凹みにより図２（イ）に示した位置等に手掛け１４０が設けられている。
【０００９】
前記網目部材１７は、金属糸或いは合成樹脂糸、例えばポリエステル樹脂等の糸で編成してなるもので、上下両端部を折曲げて、芯を通して溶着或いは接着させて固着させ、左右両端は、後述するように開口部幅に合わせて切断する。
【００１０】
前記網目部材１７の前記雨戸框に対する取付構造は、前記左右竪框１２，１３の室内側側面に沿って設けられた縦長の溝１２１，１３１にアタッチメント１８を取付け、その室内溝に棒部材１９を介して前記網目部材１７の左右両端部を取付けるようになっている。
前記縦長溝１２１，１３１の高さ幅は、前記スラット２を開放した場合に形成される開放開口Ｏ（図３参照）からの虫等の侵入を防ぐ程度の寸法であればよい。
前記アタッチメント１８には、前記縦長溝１２１，１３１に対応させたコ字状開口１８Ｋの一端に、取付片１８０が形成されている。
前記コ字状開口１８Ｋの他端には、前記棒部材１９の「抜け」を防ぐ突起１８１が成形されている。
前記棒部材１９は、前記コ字状開口１８Ｋに嵌合できる形状、長さ寸法であれば、どのようなものでよい。断面形状が円形であれば、前記コ字状開口１８Ｋへの取付け、取外しも容易である。さらに、弾力性がある合成樹脂で、且つ、中空状であれば、取付け、取外しの容易性も高まる。
【００１１】
図３に基づいて、前記網目部材１７の取付方法を説明する。前記開放開口Ｏの横幅より、若干広めに切断した前記網目部材１７の左右両端を、前記アタッチメント１８のコ字状開口１８Ｋに当てて、そのコ字状開口１８Ｋに前記棒部材１９を押し入れる。その後、カッターなどで、前記網目部材１７の左右両端を成形し化粧すればよい。
以上の取付方法により、上框１０の下縁から後述するスラット２Ａに設けられた横片２０Ａ（図４参照）まで及び左框１２の側縁から右框１３の側縁までを上方の網目部材１７が覆う。一方、中框１４の下縁から下框１１の上縁まで及び左框１２の側縁から右框１３の側縁までを下方の網目部材１７が覆うことになる。
この網目部材１７は、前記棒部材１９を前記コ字状開口１８Ｋから離脱させることにより、取外すことができる。よって、網目部材１７のみ洗浄も可能であり、また虫が発生しない季節に取外すこともできる。
【００１２】
次に、前記揺動機構の構成例を図４〜図８に基づいて説明する。
この実施形態では、第１及び第２の揺動機構を設けているが、それぞれ略同一の構成であるので、第１の揺動機構を取上げて説明する。
前記第１揺動機構は、図４及び図５に示したように、前記操作スライダー１５のスライド力を回転力に変換させるねじりバー３と、その回転力をバー部材４に伝達する第１の伝達部材５と、そのバー部材４の回転力を各スラット２に伝達する第２の伝達部材６からなっている。
【００１３】
前記操作スライダー１５は、摘み片１５０とスライダー本体１５１からなり、そのスライダー本体１５１が、前記中框１４に設けられたスライド枠１４２（図４）に沿って直線的に滑動できるように配置されている。
【００１４】
前記スライダー本体１５１の構成例を、図６に基づいて説明する。
スライダー本体１５１は、本体部１５１ａと、蓋体部１５１ｂと、本体部１５１ａと蓋体部１５１ｂを組立てるカシメ部１５１ｃからなっており、このカシメ部１５１ｃに前記摘み片１５０が固定されている。前記本体部１５１ａには、２列の孔１５１ｄ、１５１ｄが設けられており、各孔１５１ｄにスプリング１５１ｅ、ボール１５１ｆが嵌めこまれている。前記本体部１５１ａと蓋体部１５１ｂには、ねじり状の孔１５２が設けられているが、この孔１５２に形成されているクリアランスが、前記スプリング１５１ｅにより前記蓋体部１５１ｂに向かって付勢されるボール１５１ｆによって調整される。よって前記スライダー本体１５１に「ガタツキ」が生じることなく、スムーズにスライドさせることができる。
【００１５】
より詳細に「ガタツキ防止手段」を取付けた理由及び作用を図７に基づいて説明する。
前記ねじり状の孔１５２をねじりバー３の「ねじれ」にそって忠実に形成すると、操作スライダー１５を操作する際に、「ガタ」が生じる。また全てのねじりバー３に全く同一の「ねじれ」を形成させることは困難である。よって、前記ねじり状の孔１５２にはねじりバー３のためにクリアランス（遊び）が必要になる。この場合に、このクリアランスを調整し、快適なスライド操作を実現するものが「ガタツキ防止手段」である。
【００１６】
図７に示したように、前記スプリング１５１ｅにより前記蓋体部１５１ｂに向かって付勢されるボール１５１ｆがねじりバー３に当接すると共に、操作スライダー１５のスライドにより回転する。その結果、前記ねじりバー３に作用するクリアランスＣが、適度に調整されることになり、前記スライダー本体１５１に「ガタ」が生じることなく、スムーズにスライドさせることができる。なお、前記スライダー本体１５１は、スライド枠１４２に沿って直線的に滑動できるような形状であればどのようなものでもよく、前記スイラダー１５の摘み片１５０の形状も同様に、どのようなものでもよい。
【００１７】
前記ねじりバー３は、薄板状の棒材を所定のねじれ角によって変形させたもので、前記操作スライダー１５の滑動方向に応じて、正転或いは逆転するようになっている。前記ねじりバー３のねじれ角の大きさ、即ち、そのねじれ角によって形成されるねじりバー３の一端３０に対する他端３１の回転角度は、操作者が前記操作スライダー１５を軽くスライドできて、好みの開閉角度を楽しむことができ、さらに各スラット２の開閉角度の微調整が可能なように成形すればよい。例えば、図８に示したように、前記ねじりバー３の一端３０から他端３１までの長さＬに対し、他端の回転角度は約２１０度のように成形してもよい。同じ寸法Ｌにおいて、回転角度を大きく設定すればするほど、スラット２の開閉角度を大きくすることができるが、大きなスライド力を付与しなければならず操作性は重くなる。一方、回転角度を小さく設定すればするほど、スラット２の開閉角度が小さくなり、操作性が軽くなる。また、同じ回転角度において、ねじりバー３の取付長さを調整することにより、スライドバー１５のスライド幅に応じてスラット２の開閉角度を調整することができる。
【００１８】
この実施形態では、前記ねじりバー３の取付長さは、各スラット２を約９０度の範囲で開閉できるように設定され、ねじりバー３の両端３０、３１が回転軸３２，３２に固定されると共に、これらの回転軸３２，３２がそれぞれ前記スライド枠１４２に固定された軸受３３、３３に取付けられている。
【００１９】
前記回転軸３２は、図５に図示されているように、前記ねじりバー３の端部を固定する固定円柱部３２０と、この固定円柱部３２０より縮径された回転部３２１とからなる。この回転部３２１には、前記第１の伝達部材５の一端を固定する４角孔３２２が形成されている。これら固定円柱部３２０と回転部３２１間に形成された段差３２３が前記軸受３３の側面に当接することにより、前記ねじりバー３が変位することなく空転し、回転力のみが前記第１の伝達部材５に伝達されるようになっている。なお、前記ねじりバー３と第１の伝達部材５間に前記回転軸３２を介在させることにより、ねじりバー３の円滑な回転を図ると共に、ねじれ角の異なるねじりバー３の交換も容易となる。前記回転軸３２の回転部３２１は、前記竪框１３に設けられた孔（図示せず）から、その竪框１３の中空部１３３（図２参照）に突出され、前記第１の伝達部材５の一端５０に連結されている。
【００２０】
前記第１の伝達部材５は、竪框１３の中空部１３３に収容され、図５等に示したように、その一端５０がねじりバー３及び回転軸３２と略同一軸上に配置され、前記回転軸３２の四角孔３２２に固定されている。そして前記一端５０を中心にして、他端５１が前記ねじりバー３の回転に応じて回転する。この第１の伝達部材５は、略小判状に形成されているが、前記一端５０に相当する回転中心部と前記他端５１に相当する回転部を備えていれば、どのような形状でもよい。
【００２１】
前記第１の伝達部材５の他端５１は、前記竪框１３の中空部１３３に沿って配置されているバー部材４の孔４０に空転可能に取付けられている。前記バー部材４は、前記第１の伝達部材５からの回転に同調させて各スラット２を回転させるもので、各スラット２の配置間隔に応じた孔４１が設けられている（図５参照）。
一方、前記バー部材４の孔４１に対応するように、前記第１の伝達部材５と略同一の形状に成形された第２の伝達部材６の一端６０が、後述のスラットホルダ７を介して前記竪枠１３内に回転可能に配置されている（図５等参照）。この第２の伝達部材６の他端６１は、前記バー部材４の前記各孔４１に空転可能に配置されており、第２の伝達部材６は、その一端６０を中心にして前記第１の伝達部材５と同調して回転する。
【００２２】
前記スラットホルダ７は、図５等に示したように、前記竪框１３の中空部１３３内に臨む回転軸７０と、この回転軸７０に同軸的に固定され、且つ、竪框１３の外側面に当接する鍔部７１と、前記スラット２の側面に埋込まれる楔部７２からなっている。
【００２３】
なお、前記スラット２の他端を回転可能に保持するスラットホルダ７Ａ（図４参照）は、前記竪框１２に取付けられており、前記スラットホルダ７と同様に構成され、その楔部７２が前記スラット２の側面に埋込まれている。
【００２４】
次に、前記スラット２の構成例を説明する。
スラット２は、図５等に示したように、前記スラットホルダ７の楔部７２を取付ける取付部２０を設けた中空部２１と、この中空部２１の下部から下方に延出された板状部２２からなり、例えばアルミニウム等の金属材料の押出成形によって形成されている。
このスラット２の主な特徴的な点は、スラット２を略水平位置まで回動させた場合、その上部が竪框１２、１３の遮光片１２０、１３０（図２参照）と干渉しないような寸法に形成されていること、前記スラットホルダ７の回転軸７０の位置とスラット２の重心が略一致するように、その形状に工夫を加えたこと、及び前記中空部２１の上部室外側に消音部材２３を取付けたことである。
【００２５】
前記竪框１２、１３に開閉可能なスラット２を取付ける場合、スラット両端に僅かな間隙が形成されてしまい、外部からの光、室内側からの光が漏れることになる。このことは、防犯上好ましくないことから、前記竪框１２、１３には遮光片１２０、１３０が形成されている。この遮光片１２０、１３０と前記スラット上部との干渉を避けるため、スラット２の中空部２１の寸法が、スラット２の回転中心（前記第２の伝達部材６の一端６０、スラットホルダ７の回転軸７０）から遮光片１２０、１３０までの距離に比べ、短くなるように形成した。
【００２６】
この場合に、スラット２の重心が前記板状部２２側に偏ると、スラット２の回転が重くなり、快適な操作性を害するおそれがある。
そこで、前記スラット２の中空部２１の内、前記回転中心から遮光片寄りの部分を肉厚、且つ、若干傾斜状に成型し、その重心が前記板状部２２側に偏らないようにしている。その結果、前記スラットホルダ７の回転軸７０の位置とスラット２の重心が略一致し、操作性が向上している。
【００２７】
前記消音部材２３は、例えば塩化ビニールからなるもので、各スラット２を閉じた際に、上下のスラットが当たるときに発生する音を消音すると共に、雨仕舞の機能も発揮する。
【００２８】
前記スラット２のうち、前記中框１４の直上のスラット２Ａ（図４参照）は、前記第２の伝達部材６に連結されず、回動しないスラットにより構成されている。
即ち、前記スラット２Ａには、前記バー部材４の回転力が伝達されないようにすると共に、そのスラット２Ａの板状部２２の先端を規制部材２４を介して前記中框１４に固定している。
前記スラット２Ａにより、室外側から操作スライダー摘み片１５０が目隠しされ、また室外側から操作し難いようになっている。
このスラット２Ａの中空部２１から室内側に向い、且つ、スラットの略横幅にわたり横片２０Ａが形成されている。この横片２０Ａまで、前記網目部材１７がカバーすることにより、虫等の侵入が阻止される。
なお、図２（ロ）に示したように、前記下框１１は高さ寸法が幅広に形成されており、その幅広部１１Ａにより、前記鍵装置８を触り難くされており、妨害部材として機能している。
【００２９】
次に、上記のように構成された雨戸１の使用例を、図９（ａ）〜（ｄ）に基づいて説明する。
図９（ａ）及び（ｂ）は各スラット２が閉じた状態の要部断面図、同図（ｃ）は各スラット２を略４５度に開いた状態の要部断面図、同図（ｄ）は各スラット２を略９０度に開いた状態の要部断面図である。  前記スラット２が図９（ａ）及び（ｂ）に示した閉鎖状態にあるときは、前記操作スライダー１５は同図に示した右端の位置にある。
この位置から前記操作スライダー１５を図面上、左方向にスライドさせると、そのスライド力は、ねじりバー３、回転軸３２、第１の伝達部材５、バー部材４、第２の伝達部材６、スラットホルダ７を介してスラット２に伝達され、各スラット２が前記操作スライダー１５のスライド幅に応じた角度で開放される。
【００３０】
図９（ｃ）のように、前記操作スライダー１５を中間位置まで移動させると、前記スラット２が半開され、同図（ｄ）のように、さらに左端まで前記操作スライダー１５をスライドさせると、スラット２が全開となる。各スラット２を閉じるときには、前記操作スライダー１５を右側にスライドさせればよい。
【００３１】
以上のような雨戸１によれば、第１に、前記操作スライダー１５を左右にスライドさせることで、各スラット２の開閉を行うので、開閉操作が極めて容易であり、各スラット２を閉鎖して防風、防雨、防寒、防音を図ることができ、開閉角度を調整することによりプライバシーの保護、通気、採光、断熱を図ることができる。
特に、前記各スラット２が図９(ｃ)のように約４５度に開放されると、断熱、通風及び採光を同時に実現させることができる。
また同図(ｄ)のように約９０度に開放させると、採光性が高まる。
第２に、前記雨戸框に取付けられた網目部材１７により、前記開放開口Ｏから室内側への虫等の侵入を防ぐことができる。なお、網目部材１７の下端は、前記スラット２Ａに設けられた横片２０Ａに当接しているので、前記操作スライダー１５の操作を妨げることはない。
第３に、前記網目部材１７を着脱自在に構成することにより、網目部材の洗浄、交換、虫が発生しない冬季での取外し保管もできる。
第４に、前記ねじりバー３のねじれ角を小さくすることにより、小さな力でスライドさせることができ、また各スラット２を略９０度の範囲で、好きな角度で固定することができる。この場合、各スラット２の開閉角度を大きくしたいときには、より大きなねじれ角のねじりバーに交換すれば良い。
第５に、ねじりバー３にはねじれ角が存在するので、スラット２を動かしても、操作スライダー１５はスライドし難く、防犯性に優れており、またねじりバー３は、その製造コストを安価に押さえることができる。
第６に、ねじりバー３のねじれ方向を逆転させて（反時計回り）成形することにより、前記操作スライダー１５が図２５（ａ）及び（ｂ）に示した位置にあるときには、前記スラット２を開放状態にすることができる。
第７に、前記左右の竪框１２，１３に遮光片１２０，１３０が形成されているので、この点からもプライバシー保護や防犯性に優れている。
第８に、前記各スラット２が開放された状態であっても、妨害部材としての前記スラット２Ａにより、前記操作スライダー１５０が室外側から見えずに、かつ、操作し難くなっているので、この点からも防犯性に優れている。
【００３２】
なお、前記回転軸３２の回転方向を直交させる部材を、その回転軸３２と第１の伝達部材５間に介在させることにより、前記操作スライダー１５、前記ねじりバー３及び前記回転軸３２を竪框側に配置することもできる。また、前記実施形態においては、前記雨戸框内の略全面にスラットを配置していたが、雨戸框内の上部、中部或いは下部など、所定の領域に限定し、これらのスラットを揺動させる揺動機構を設けてもよい。また、雨戸框の室内側の端部側に操作スライダー１５０,１５０をまとめて配置してもよい。そうすれば、建物開口の窓ガラス戸等を少し開けることにより、操作スライダーの摘み片１５０を操作することができる。さらに、図１０に示したように、操作スライダーの摘み片１５０を室内側に臨ませてもよい。
【００３３】
次に、第２実施形態に係る雨戸の実施形態を説明する。
この第２実施形態の特徴は、仕様が異なる雨戸枠１６（図１）への雨戸１の据付け設置の際に、その仕様に対応できる框、戸車構成としたことである。
第２実施形態に係る前記上框１０Ａは、図１１乃至図１４に詳細に図示した如く、框本体１００と冠部材１０１から構成されている。
前記框本体１００は、上開きコ字状に成形されると共に、その内壁に刻み１００ａを形成し、一方、前記冠部材１０１は下開きコ字状に成形されると共に、その外壁に前記刻み１００ａに対応する刻み１０１ｂを形成している。
これらの刻み１００ａ、１０１ｂは断面略三角状の山と谷により形成したもので、各刻み１００ａ、１０１ｂを擦り合せつつ、高さ調整後にビスＢなどで両部材１００、１０１を緊締すればよい。
これら刻み１００ａ、１０１ｂが重合する範囲で、上框１０Ａの高さ幅を調整でき、雨戸枠１６に対する雨戸１の高さ寸法の調整が容易となっている。
特に、既設の雨戸を本雨戸１に入替える場合に、事前の厳格な採寸を要せずに現場で調整することができる。
【００３４】
前記上框１０Ａの高さ寸法を確定させた後、図１２のように各コーナーにコーナーブロック１０２を取付け、また前記下框１１も同様に前記コーナーブロック１０２を取付ける。
このコーナーブロック１０２は、例えば合成樹脂により作られており、雨戸１と雨戸枠１６との「擦れ」を防ぐこともできる。
【００３５】
また、戸当たり１０３も上下框１０Ａ、１１の各コーナーに取付けるが、上述のように上框１０の高さ寸法を調整した結果、コーナーブロック１０２と戸当たり１０３に隙間が出来た場合には、その間隙に光止め１０４を埋めこめばよい（図１３参照）。
この光止め１０４は、適宜カッター等でその寸法を調整できるようになっている。
【００３６】
図１１等に示したように、前記上框１０Ａにはスレ止め止着用の孔１０５が設けられおり、図１４のように前記孔１０５にスレ止め用部材（スレ止め）１０６を取付けることができるようになっている。
このスレ止め１０６については、厚さ寸法が異なる複数種類のものを用意し、これらのスレ止め１０６を適宜組合わせることにより、雨戸枠１６のレール溝と上框１０の「擦れ合い」を防ぐことができる。
例えばスレ止め１０６として、「２」ｍｍのもの、「６」ｍｍのものを用意すれば、「２」ｍｍのものを一個取付け場合から「６」ｍｍのものを２個取付けた場合まで５つの組合わせで、仕様の異なるレール溝に対応させることができる。
【００３７】
次に前記戸車装置は、図１５及び図１６に示したように、戸車ケース９０と、この戸車ケース９０を回動自在に取付けるケース取付部９１と、前記戸車ケース９０を固定する止着具９２、９３を備えている。そして前記戸車ケース９０には、タイプの異なる２種類の戸車９００、９０１が回転自在に取付けられている。
【００３８】
前記戸車ケース９０は、図１７に示したように連結部９０２ａ、９０２ｂを残して切欠かれた下開きコ字状のケース９０２に、前記戸車９００（半平車）、９０１（Ｕ溝車）を軸着させ、ケース９０２から臨ませている。そして前記連結部９０２ａに前記止着具９２、９３用の止着部９０３を設けている。このように構成された戸車ケース９０は、図１５等に示したように、その一端が前記ケース取付部９１のＵ字形部９１０（図２０参照）を挟みこんで、軸孔９０４に取付けられる軸９０５を介して、前記ケース取付部９１に回転自在に取付けられている。
【００３９】
前記ケース取付部９１は、図２０〜図２１に図示したように、下開きコ字状のケース９１１の略中央に前記Ｕ字形部９１０を形成すると共に、前記戸車９００（半平車）を用いる場合に、他方の戸車９０１（Ｕ溝車）が納められる凹部９１２、前記戸車９０１（Ｕ溝車）を用いる場合に、他方の戸車９００（半平車）との干渉を避ける凹み９１３が形成されている。そして、ケース９１１上面に前記止着具９２、９３用の止着孔９２０、９３０を設け、またケース９１１自体を下框１１に止着するための止着孔９１４を形成している。
【００４０】
上記のように構成された戸車装置９では、図２３に示したように、レールが設けられていない雨戸枠のレール構造の場合には、前記戸車９００（半平車）を用いるため、前記止着具９２を用いて、前記戸車ケース９０を前記ケース取付部９１に固定する。一方、前記戸車９０１（Ｕ溝車）を用いる場合には、前記戸車ケース９０を回転（図面上の反時計回り）させて、前記止着具９３を用いて、前記戸車ケース９０を前記ケース取付部９１に固定すればよい。
【００４１】
この第２実施形態の雨戸によれば、第１に、新設の雨戸枠のみならず、既設の雨戸枠に本願の雨戸を設置する場合、予め雨戸枠の高さ、レール溝幅等を、厳格に採寸することなく、現場で雨戸框の高さを調整して雨戸を取付けることができ、設置施工の煩雑さを解消できる。
第２に、予め雨戸枠のレール構造を調べることなく、取付現場でレール構造を見て戸車を選択し、直ちに雨戸を取付けることができるので、取付作業の煩雑さを解消できる。
【００４２】
次に、第３実施形態に係る雨戸の実施形態を説明する。
この第３実施形態の特徴は、前記下框１１に鍵装置８を取付けて、施錠時に鍵レバー８０を鍵本体８１から取外すことができるようにしたことである。
【００４３】
前記鍵装置８は、図２４に示した分解斜視図のように、鍵レバー８０と鍵本体８１からなり、鍵本体８１は前記鍵レバー８０を収容しつつ、そのレバー８０の回動押下げ、回動押上げにより回動される回動体８２と、この回転体８２に設けられたカム溝８３に係合されるピン８４０が固定された鍵ロッド８４を備えている。
【００４４】
前記鍵レバー８０には凸８００が形成され、一方、鍵レバー８０を挿入する鍵孔８１０には前記凸８００が通過できる切欠き８１１を設けており、鍵レバー８０の挿入ミスを防いでいる。
【００４５】
この鍵装置８の動作例を図２５及び図２６に基づいて説明する。図２５は解錠時の説明図、図２６は施錠時の説明図である。
図２５に示したように、解錠時には前記鍵レバー８０は前記回動体８２を構成する回動本体８２０とカバー８２１を組立てている回転軸８２２及び軸８２３が作る隙間に収容されている。
また鍵レバー８０の係合溝８０１が鍵本体８１の鍵孔８１０に係合されて、鍵孔８１０から抜取ることができないようになっている。
【００４６】
この状態から前記鍵ロッド８４自体を下方に押し下げたり、鍵レバー８０を図面上、時計回りに回転させると、前記回動体８２が回転軸８２２を中心に回転し、前記カム溝８３が前記鍵ロッド８４のピン８４０を押し下げる。
その結果、前記鍵本体８１に設けられた孔８１２、８１３に沿ってロッド８４は下降し、雨戸枠１６の孔（図示せず）に没入される。
鍵レバー８０が略直立すると、前記ピン８４０がカム溝８３のフック先端に入り込み、また前記回動本体８３の先端８３０が板バネ８７の付勢力に抗して、その始端に当接し施錠される。
この時、鍵レバー８０の係合溝８０１が鍵本体８１の鍵孔８１０から開放されるので、前記鍵レバー８０を鍵本体８１から引抜くことができる。
よって、前記鍵レバー８０を他所に保管することにより、室外側から解錠し難くなっており、防犯性を高めることができる。
例えば引抜いた鍵レバー８０は、任意の個所に貼着したフックなどにかけておけばよい。
【００４７】
この第３実施形態の雨戸によれば、前記鍵レバー８０を鍵本体８１から引抜くことにより、室外側からの鍵レバー８０の操作による解錠を防ぐことができ、スラット２を開放したままでも、防犯性に優れている。
【００４８】
次に、図２７に基づき、第４実施形態について説明する。
前記各実施形態の雨戸１はテラスタイプの開口部に用いるものであるが、この第５実施形態の雨戸１Ａは、窓タイプの開口部に取り付けるものである。そのため１組の揺動機構を組付け、その操作スライダーを雨戸框の下框又は上框に配置している。
図示は省略するが、雨戸１Ａの室内側には網目部材が張られている。即ち、上記各実施形態と同様に左右竪框１２Ａ，１３Ａの室内側側面に沿って設けられた縦長の溝に嵌合されたアタッチメントの室内溝に、棒部材を介して前記網目部材の左右両端部を取付けるようにしている。その他の構成は、第１実施形態と同様であるので、同様に作用効果を奏する。
【００４９】
次に、本発明の実施形態として、折れ雨戸の構成例を図２８〜３０に基づき説明する。
折れ雨戸は、建物の開口部Ｋに略沿うように固定された固定枠１Ｆとこの固定枠１Ｆに配置された第１〜第４雨戸１Ｂ〜１Ｅからなる。そして各雨戸１Ｂ〜１Ｅの室内側にはそれぞれ網目部材１７が張られており、第１及び第２雨戸１Ｂ,１Ｃ並びに第３及び第４雨戸１Ｄ,１Ｅがそれぞれ屋外側に折畳まれるようになっている。
【００５０】
前記固定枠１Ｆは、各雨戸１Ｂ〜１Ｅと開口Ｋ間の間隔を保たせてつつ折れ雨戸を取付けるもので、サッシ枠等と折れ雨戸の位置調整に使用する。特に、既設の開口に折れ雨戸を取付ける場合に有用である。また、折れ雨戸の外周と開口Ｋの隙間を遮断して虫の侵入を防ぐ機能も備えている。
【００５１】
前記固定枠１Ｆには、枠本体１００Ｆの室外側横枠１０１Ｆにレール部１０２Ｆが設けられており、上下レール部１０２Ｆの各両端には、図しないターンテーブルが設けられている。
前記レール部１０２Ｆ及び前記ターンテーブルは、第１及び第２雨戸１Ｂ,１Ｃ並びに第３及び第４雨戸１Ｄ,１Ｅが折畳まれたり、折広げられる場合に、第２及び第３雨戸１Ｃ、１Ｄに取付けられたガイド突起兼用ストッパ１３ａ（図２９参照）のロッドが走行する部分である。
前記固定枠１Ｆは、上記のように構成され、前記開口部Ｋの周囲を沿って止着具を介して躯体側に固定されている。
【００５２】
前記第１雨戸１Ｂ及び第４の雨戸１Ｅは略同一であり、また第２雨戸１Ｃ及び第３の雨戸１Ｄは略同一であるので、第４雨戸１Ｅの構成例は、第１雨戸１Ｂによって説明し、第３雨戸１Ｄの構成例は、第２雨戸１Ｃによって説明する。
【００５３】
前記第１雨戸１Ｂは、上下框１０Ｂ,１１Ｂ、竪框１２Ｂ，１３Ｂ及び中框１４から雨戸框を形成し、上框１０Ｂと中框１４間、下框１１Ｂと中框１４間に、それぞれ複数のスラット２Ｂ、２Ｃを水平方向に配列している。
【００５４】
前記竪框１２Ｂの上下端には、回転軸１２ａ（図２９参照）が取付けられ、前記ターンテーブルに設けられた各軸受部（図示せず）に軸支され、第１雨戸１Ｂが前記固定枠１Ｆに回転可能に取付けられている。
他方の竪框１３Ｂには、ヒンジ取付枠１３２が形成され、前記第２雨戸１Ｃをヒンジ結合している。
図２９に示すように、前記竪框１２Ｂ及び１３Ｂの室内側側面には、上記各実施形態と同様に縦長の溝が形成され、前記アタッチメント１８の室内溝に棒部材１９を介して前記網目部材１７が取付けられている。
なお、前記竪框１３Ｂの上下端部にはストッパ（図示せず）が取付けられ、折れ雨戸を閉じた場合の雨戸の「バタツキ」防止や防犯性を高めている。
【００５５】
前記中框１４は、図３０に示したように上下２列に形成され、上下中框１４Ａ、１４Ｂには、それぞれ前記スラット２Ｂ、２Ｃを揺動される第１、第２揺動機構を操作する操作スライダー１５を臨ませている。
前記中框１４を上下中框１４Ｂ、１４Ｃに２列にすることなく、一体型としてもよい。
【００５６】
第２雨戸１Ｃは、前記第１雨戸１Ｂと、略同一に形成されており、前記第１の雨戸１Ｂの竪框１３Ｂに設けられたヒンジ取付枠１３２に対応するヒンジ取付枠１３２が竪框１３Ｂに形成され、ピース状或いは長尺状のヒンジ１３０ａを介して前記第１雨戸１Ｂとヒンジ結合されている。なお、第１、第２雨戸１Ａ、１Ｂが押し開かれた場合（図２９示した位置）に、前記ストッパ１３ａのロッドをさらに突出させることにより、前記ターンテーブルの孔に没入し、雨戸の「バタツキ」を防ぐことができる。
【００５７】
その他の構成は、上記各実施形態と同様であるので、上記各実施形態の雨戸と同様の作用効果を奏する。
折れ雨戸の第２実施形態として図３１示したように窓用タイプのもの、第３実施形態として図３２示したように第１と第２雨戸１Ｂ,１Ｃの１組と第４の雨戸１Ｅからなる折れ雨戸、第４実施形態として図３３に示したように、第１と第２雨戸１Ｂ´、１Ｃ´からなる折れ雨戸でもよい。
その他の構成は、上記各実施形態と同様であるので、同様の作用効果を奏する。
【００５８】
次に、本発明の実施形態として、ルーバーの構成例を図３４及び図３５に基づいて説明する。
このルーバー１Ｇには、左右竪框１２Ｃ,１３Ｃの室内側側面に上記各実施形態と同様に縦長の溝が形成され、前記アタッチメント１８の室内溝に棒部材１９を介して前記網目部材１７が取付けられている。
ルーバの構成は上記各実施形態の雨戸と略同一であるので、同一の作用効果を奏する。
【００５９】
次に、本発明の実施形態として、引戸の構成例を図３６に基づいて説明する。
この引戸１Ｈの左右竪框１２Ｄ,１３Ｄの室内側側面には、上記各実施形態と同様に縦長の溝が形成され、前記アタッチメント１８の室内溝に棒部材１９を介して網目部材１７（図示せず）が取付けられている。
その他の構成は、上記各実施形態の雨戸と同一であるので、同一の作用効果を奏する。
なお、室外側引戸、室内側引戸ともに同一の構成でよいが、スラット２Ｅ,２Ｆの幅を調整することにより、引戸のスライドが妨げられないようにしてもよい。
【００６０】
開口部外装装置として、雨戸、折れ雨戸、ルーバー及び引戸について説明したが、建物の開口部に対し、室外側に面して配置されている装置であれば、その名称は問われない。
また、開口部外装装置は、建物の開口部に対し室外側に面して配置されている装置という意味であるので、その室内側に窓、戸、障子、玄関引戸等、建具類が配置されているか否かも、問題とされない。
例えば、ルーバーの場合にその室内側に窓等を配置してもよいし、配置しなくも良い。同様に引戸の場合に、本願の引戸をそのまま玄関引戸として使用してもよいし、本願引戸の室内側に玄関引戸等を配置してもよい。
【００６１】
【発明の効果】
本願発明によれば、雨戸、折れ雨戸、ルーバー、引戸等の開口部外装装置について、スラットを任意の開放角度で停止させて、通風量、換気量及び採光量等を調整でき、また外断熱を図ることができ、さらに防虫機能も付加させることができる。
【図面の簡単な説明】
【図１】  第１実施形態に係る雨戸の室外側正面図、
【図２】  （イ）同雨戸の室内側正面図、（ロ）雨戸の一部図示を省略した縦断面図、（ハ）同横断面図、
【図３】  同雨戸の要部斜視分解図、
【図４】  揺動機構の要部断面図、
【図５】  揺動機構の分解斜視図、
【図６】  揺動機構の操作スライダーの分解斜視図、
【図７】  同操作スライダーの動作説明図、
【図８】  揺動機構のねじりバーの正面図、
【図９】  (ａ)〜(ｄ)  スラットの動作説明図、
【図１０】  別例に係る操作スライダーの分解斜視図、
【図１１】  第２実施形態に係る雨戸の要部上框斜視図、
【図１２】  同要部上框斜視図、
【図１３】  同要部上框斜視図、
【図１４】  同要部上框斜視図、
【図１５】  同雨戸の戸車装置の正面図、
【図１６】  同側面図、
【図１７】  同戸車装置を構成する戸車ケースの正面図、
【図１８】  同底面図、
【図１９】  同側面図、
【図２０】  同戸車装置を構成するケース取付部の正面図、
【図２１】  同平面図、
【図２２】  同側面図、
【図２３】  同戸車装置を作用説明図、
【図２４】  第３実施形態に係る雨戸の鍵装置の分解斜視図、
【図２５】  鍵装置の動作説明図、
【図２６】  鍵装置の動作説明図、
【図２７】  第４実施形態に係る雨戸の室外側正面図、
【図２８】  第１実施形態に係る折れ雨戸の室外側正面図、
【図２９】  同横断面図、
【図３０】  同縦断面図、
【図３１】  第２実施形態に係る折れ雨戸の室外側正面図、
【図３２】  第３実施形態に係る折れ雨戸の室外側正面図、
【図３３】  第４実施形態に係る折れ雨戸の室外側正面図、
【図３４】  実施形態に係るルーバー室外側正面図、
【図３５】  同縦断面図、
【図３６】  実施形態に係る引戸の室外側斜視図、
【図３７】  従来例図。
【符号の説明】
１  １Ａ  １Ｂ〜１Ｅ  雨戸
１Ｆ  固定枠
１Ｇ  ルーバー
１Ｈ  引戸
２  ２Ｂ  ２Ｃ  ２Ｄ  ２Ｅ  ２Ｆ  スラット
２Ａ  スラット（妨害部材）
３  ねじりバー
４  バー部材
５  第１の伝達部材
６  第２の伝達部材
７  ７Ａ  スラットホルダ
８  鍵装置
９  戸車装置
１０  １０Ａ  １０Ｂ  １０Ｃ  １０Ｄ  上框
１１  １１Ａ  １１Ｂ  １１Ｃ  １１Ｄ  下框
１２  １２Ａ  １２Ｂ  １２Ｃ  １２Ｄ  竪框
１３  １３Ａ  １３Ｂ  １３Ｃ  １３Ｄ  竪框
１３ａガイド突起兼用ストッパ
１４  中框                      １４  １４Ａ  １４Ｂ  中框
１５  操作スライダー            １６  雨戸枠
１７  網目部材                  １８  アタッチメント
１８Ｋ  コ字状開口              １９  棒部材
２０Ａ  横片
２０  取付部                    ２１  中空部
２２  板状部                    ２３  消音部材
２４  規制部材                  ３０  一端
３１  他端                      ３２  回転軸
３３  軸受                      ４０  ４１  孔
５０  第１の伝達部材の一端      ５１  他端
６０  第２の伝達部材の一端      ６１  他端
７０  回転軸
７１  鍔部                      ７２  楔部
８０  鍵レバー
８１  鍵本体                    ８２  回動体
８３  カム溝                    ８４  鍵ロッド
８７  板バネ
９０  戸車ケース                ９１  ケース取付部
９２、９３  止着具
１００  框本体                  １００ａ  １０１ｂ  刻み
１０１  冠部材                  １０２  コーナーブロック
１０３  戸当たり                １０４  光止め
１０５  スレ止め止着用の孔      １０６  スレ止め
１００Ｆ  枠本体                １０１Ｆ  室外側横枠
１０２Ｆ  上下レール部
１２０  １３０  遮光片
１２１，１３１  溝              １３２  ヒンジ取付枠
１３３  中空部                  １３０ａ  ヒンジ
１４０  手掛け                  １４０  室内側凹面
１４２  スライド枠
１５０  摘み片                  １５１  スライダー本体
１５１ａ  本体部                １５１ｂ  蓋体部
１５１ｃ  カシメ部
１５１ｄ  孔                    １５１ｅ  スプリング
１５１ｆ  ボール                １５２  孔
１６０  レール構造
１８０  取付片
１８１  突起
３２０  固定円柱部              ３２１  回転部
３２２  ４角孔                  ３２３  段差
８０１  係合溝
８４０  ピン                    ８００  凸
８１０  鍵孔                    ８１１  切欠き
８１２  ８１３  孔
８２０  回動本体                ８２１  カバー
８２２  回転軸                  ８２３  軸
９００、９０１  戸車
９０２ａ、９０２ｂ  連結部      ９０２  ケース
９０３  止着部                  ９０４  軸孔
９０５  軸
９１０  Ｕ字形部                ９１１  ケース
９１２  凹部                    ９１３  凹み
９１４  ９２０  ９３０  止着孔
【図１】
0004095298.tif 000002
【図２】
0004095298.tif 000003
【図３】
0004095298.tif 000004
【図４】
0004095298.tif 000005
【図５】
0004095298.tif 000006
【図６】
0004095298.tif 000007
【図７】
0004095298.tif 000008
【図８】
0004095298.tif 000009
【図９】
0004095298.tif 000010
【図１０】
0004095298.tif 000011
【図１１】
0004095298.tif 000012
【図１２】
0004095298.tif 000013
【図１３】
0004095298.tif 000014
【図１４】
0004095298.tif 000015
【図１５】
0004095298.tif 000016
【図１６】
0004095298.tif 000017
【図１７】
0004095298.tif 000018
【図１８】
0004095298.tif 000019
【図１９】
0004095298.tif 000020
【図２０】
0004095298.tif 000021
【図２１】
0004095298.tif 000022
【図２２】
0004095298.tif 000023
【図２３】
0004095298.tif 000024
【図２４】
0004095298.tif 000025
【図２５】
0004095298.tif 000026
【図２６】
0004095298.tif 000027
【図２７】
0004095298.tif 000028
【図２８】
0004095298.tif 000029
【図２９】
0004095298.tif 000030
【図３０】
0004095298.tif 000031
【図３１】
0004095298.tif 000032
【図３２】
0004095298.tif 000033
【図３３】
0004095298.tif 000034
【図３４】
0004095298.tif 000035
【図３５】
0004095298.tif 000036
【図３６】
0004095298.tif 000037
【図３７】
0004095298.tif 000038